(57)【要約】      （修正有）【課題】タンクローリ車で運搬した汚染物を、外部へ漏洩させることなく受入れるための汚染物の受入れ設備を提供する。【解決手段】汚染物落とし孔１７が形成された蓋部材１６と集水枡を備えた地下プール１２と、蓋部材１６の上方に設けられた屋根１３と、集水枡の汚染物を第１のポンプを介して受入れる緊急タンクと、タンクローリ車１１に接続されるホース２２の受入れ口２３、及び、これを外部と遮断する開閉扉２５を備え、内部に、ホース２２の接続口、これに配管を介して接続されるバルブ、ストレーナ、及び第２のポンプを有するホース接続室１９と、ホースカバー２４と、輸送される汚染物を貯留するタンク室と、バルブから漏洩した汚染物を受ける第１の容器と、この汚染物をタンク室へ輸送する第３のポンプと、第３のポンプから漏洩した汚染物を溜める第２の容器とを有する。【選択図】図１
0003185586.tif 000002
【実用新案登録請求の範囲】
【請求項１】
１）天井部には、汚染物を貯留したタンクローリ車が駐車可能なスペース及び強度を有し、上下に貫通する複数の汚染物落とし孔が形成された蓋部材が設けられ、底部には、集水枡を備えた地下プールと、
２）前記タンクローリ車が駐車する前記蓋部材の上方に設けられた屋根と、
３）前記集水枡に溜まった汚染物を第１のポンプを介して受入れる緊急タンクと、
４）前記タンクローリ車の吐出口に一端が接続されるホースの他端側を挿通可能な受入れ口、及び、該受入れ口を外部と遮断する開閉扉を備え、内部に、前記ホースの他端を接続するための接続口、該接続口に配管を介して接続されるバルブ、ストレーナ、及び第２のポンプを有するホース接続室と、
５）前記ホースの外側を覆い、漏洩する汚染物の飛散を防止するホースカバーと、
６）前記第２のポンプから輸送される汚染物を貯留するタンク室と、
７）前記バルブの下部に設けられ、漏洩した汚染物を受ける漏斗付きの第１の容器と、
８）前記漏斗付きの第１の容器に受けた汚染物を、前記タンク室へ輸送する第３のポンプと、
９）前記第３のポンプの下部に設けられ、漏洩した汚染物を溜める第２の容器とを有することを特徴とする汚染物の受入れ設備。
【請求項２】
請求項１記載の汚染物の受入れ設備において、前記屋根は開閉式であることを特徴とする汚染物の受入れ設備。
【請求項３】
請求項１又は２記載の汚染物の受入れ設備において、汚染物はＰＣＢを含むことを特徴とする汚染物の受入れ設備。
【考案の詳細な説明】
【技術分野】
【０００１】
本考案は、タンクローリ車で運搬した汚染物を、外部へ漏洩させることなく受入れるための汚染物の受入れ設備に関する。
【背景技術】
【０００２】
例えば、トランスやコンデンサ等のＰＣＢを含有した廃電気機器は、特別管理廃棄物に指定され、日本環境安全事業株式会社（以下、ＪＥＳＣＯともいう）において、安全かつ確実に処理することが義務付けられている。
一方、ＰＣＢを使用していないとされていた廃電気機器の中には、微量のＰＣＢ汚染絶縁油を含んだもの（いわゆる微量ＰＣＢ汚染廃電気機器等）が多く存在することが、近年判明した。このような廃電気機器は、ＪＥＳＣＯでの処理対象となっておらず、これまでＪＥＳＣＯで行われている化学処理方式では、膨大な処理費用がかかるため、効率的な処理が検討されている。
また、法改正により、低濃度ＰＣＢ含有廃棄物についても、化学処理方式以外で処理することになった。
これら低濃度ＰＣＢ廃棄物の処理方法として、例えば、特許文献１に示す技術がある。
【先行技術文献】
【特許文献】
【０００３】
【特許文献１】特開２０１２−１０６１８２号公報
【考案の概要】
【考案が解決しようとする課題】
【０００４】
上記した特許文献１においては、ＰＣＢ含有物の処理方法について記載しているが、タンクローリ車で運搬した汚染物を、処理設備に受入れるに際しては、汚染物が外部へ漏洩するおそれもあり、汚染物の漏洩を防止できる受入れ設備には、未だ改善の余地があった。
【０００５】
本考案はかかる事情に鑑みてなされたもので、タンクローリ車で運搬した汚染物を、外部へ漏洩させることなく受入れるための汚染物の受入れ設備を提供することを目的とする。
【課題を解決するための手段】
【０００６】
前記目的に沿う本考案に係る汚染物の受入れ設備は、
１）天井部に、汚染物を貯留したタンクローリ車が駐車可能なスペース及び強度を有し、上下に貫通する複数の汚染物落とし孔が形成された蓋部材が設けられ、底部に、集水枡を備えた地下プールと、
２）前記タンクローリ車が駐車する前記蓋部材の上方に設けられた屋根と、
３）前記集水枡に溜まった汚染物を第１のポンプを介して受入れる緊急タンクと、
４）前記タンクローリ車の吐出口に一端が接続されるホースの他端側を挿通可能な受入れ口、及び、該受入れ口を外部と遮断する開閉扉を備え、内部に、前記ホースの他端を接続するための接続口、該接続口に配管を介して接続されるバルブ、ストレーナ、及び第２のポンプを有するホース接続室と、
５）前記ホースの外側を覆い、漏洩する汚染物の飛散を防止するホースカバーと、
６）前記第２のポンプから輸送される汚染物を貯留するタンク室と、
７）前記バルブの下部に設けられ、漏洩した汚染物を受ける漏斗付きの第１の容器と、
８）前記漏斗付きの第１の容器に受けた汚染物を、前記タンク室へ輸送する第３のポンプと、
９）前記第３のポンプの下部に設けられ、漏洩した汚染物を溜める第２の容器とを有する。
【０００７】
本考案に係る汚染物の受入れ設備において、前記屋根は開閉式にできる。
【０００８】
本考案に係る汚染物の受入れ設備において、汚染物はＰＣＢを含んでいてもよい。
【考案の効果】
【０００９】
本考案に係る汚染物の受入れ設備は、地下プール、緊急タンク、ホース接続室、ホースカバー、タンク室、第１〜第３のポンプ、及び第１、第２の容器を有するので、タンクローリ車で運搬した汚染物を、外部へ漏洩させることなく受入れることができる。
また、地下プールの蓋部材の上方に屋根が設けられているので、雨天時の汚染物の受入れも可能である。
なお、汚染物がＰＣＢを含んでいる場合、本考案の効果がより顕著になる。
【図面の簡単な説明】
【００１０】
【図１】本考案の一実施の形態に係る汚染物の受入れ設備の説明図である。
【図２】（Ａ）は同汚染物の受入れ設備の地下プールの底部の平面図、（Ｂ）は（Ａ）のａ−ａ矢視断面図である。
【図３】（Ａ）、（Ｂ）はそれぞれ同汚染物の受入れ設備のホース接続室の平断面図、側断面図である。
【考案を実施するための形態】
【００１１】
続いて、添付した図面を参照しつつ、本考案を具体化した実施の形態につき説明し、本考案の理解に供する。
図１に示すように、本考案の一実施の形態に係る汚染物の受入れ設備（以下、単に受入れ設備ともいう）１０は、タンクローリ車１１で運搬した汚染物を、外部へ漏洩させることなく受入れるための設備である。なお、汚染物は、例えば、トランス、コンデンサ、遮断器、開閉器等から回収したＰＣＢを含むものであるが、これに限定されるものではなく、また、他の汚染物でも、本考案は適用できる。
以下、詳しく説明する。
【００１２】
図１、図２（Ａ）、（Ｂ）に示すように、汚染物の受入れ設備１０は、地下プール１２と屋根１３を有している。
地下プール１２は、平面視して長方形（正方形や他の形状でもよい）となって、タンクローリ車１１よりも広い面積を有している。
この地下プール１２の底部１４は、その周辺部から中央部へかけて下方へ傾斜しており、その中央（対角線の交点位置）に、集水枡１５を備えている。なお、底部１４の最も深い場所で、地表レベルよりも２００〜５００ｍｍ程度深くなっている。
【００１３】
一方、地下プール１２の天井部（地表レベルと同一レベル位置）には、底部１４を覆うように、タンクローリ車１１が駐車するための蓋部材１６が設けられている。
この蓋部材１６は鋼板で構成され、その裏面側には、鋼板の厚みや強度に応じて、リブ等の補強がなされている。これにより、蓋部材１６は、汚染物を貯留したタンクローリ車１１が駐車可能なスペース及び強度を有する。
また、蓋部材１６には、上下に貫通する複数（多数）の汚染物落とし孔１７が形成されている。なお、汚染物落とし孔１７は円形であるが、他の形状でもよい。
【００１４】
以上の構成により、汚染物を貯留したタンクローリ車１１を、蓋部材１６上に停車させた後、貯留した汚染物を受入れ設備１０に輸送（移送）するに際し、汚染物が万が一漏洩した場合でも、漏洩した汚染物は、蓋部材１６の汚染物落とし孔１７を介して、地下プール１２の底部１４へ流れ落ちる。また、地下プール１２の底部１４は、例えば、表面側から、コンクリート、遮水シート、保護層、バラス等を順次積層して構成されているため、汚染物は地中（地下）へ染み込むことなく、底部１４の傾斜によって集水枡１５に集められる。
これにより、漏洩した汚染物の回収作業を、簡単かつ作業性よく実施できる。
【００１５】
図１に示すように、蓋部材１６の上方には屋根１３が、少なくとも蓋部材１６全面を覆うように設けられている。なお、屋根１３は、複数本の支柱１８で支持されている。
この屋根１３は開閉式となっている。これにより、雨天の場合は、屋根１３を閉状態にすることで、タンクローリ車１１からの汚染物の輸送作業時に、漏洩した汚染物と共に、雨水が地下プール１２へ流れ落ちることを防止でき、また、雨天以外の場合（晴天や曇り）は、屋根１３を開状態にすることで、屋根を構造物（鋼構造物）の一部とせずに、屋根の機能を保持することが可能である。
なお、屋根１３は、上記したように、雨水が地下プール１２へ流れ落ちることを防止できる構成であればよく、例えば、常時閉状態（開状態）のものでもよい。
【００１６】
受入れ設備１０は、緊急タンク（図示しない）を有している。
この緊急タンクは、上記した集水枡１５に溜まった汚染物を、第１のポンプを介して受入れるものである。これにより、駐車スペース（蓋部材１６上）で汚染物が万が一漏洩した場合でも、汚染物を外部へ流出させることなく、受入れ設備１０内で回収できる。
なお、緊急タンクに輸送された汚染物は、例えば、焼却処分される。
【００１７】
図１、図３（Ａ）、（Ｂ）に示すように、受入れ設備１０は、ホース接続室１９を有している。
ホース接続室１９は、タンクローリ車１１の駐車スペース側の側壁２０に、タンクローリ車１１の吐出口２１に一端が接続されるホース２２の他端側を挿通可能な受入れ口２３が設けられている。なお、ホース２２を受入れ口２３に挿通するに際しては、予め、ホース２２の外側を覆い、漏洩する汚染物の飛散を防止するホースカバー２４を取り付ける。このホースカバー２４は、伸縮自在の蛇腹状のものであるが、他の構成でもよい。
上記した側壁２０には、受入れ口２３を外部と遮断する開閉扉２５が設けられている。
【００１８】
ホース接続室１９の内部には、ホース２２の他端を接続するための接続口２６が設けられている。
この接続口２６には、配管２７を介して、汚染物の輸送の開始と停止を行うバルブ２８と、汚染物中の不純物を除去するストレーナ２９と、汚染物を下流側へ輸送するための第２のポンプ３０が、順次接続されている。また、第２のポンプ３０の下流側には、第２のポンプ３０で輸送される汚染物を貯留するタンク室（図示しない）が、配管３１を介して接続されている。なお、タンク室は、ホース接続室１９の外に配置されている。
【００１９】
ここで、ストレーナ２９は、複数台（ここでは、２台）を並列に配置しているが、輸送する汚染物の状態に応じて１台でもよい。なお、各ストレーナ２９の上流側と下流側には、それぞれバルブ３２、３３が設けられ、汚染物の輸送経路を選択できる。
また、バルブ２８の下部には、漏洩した汚染物を受ける漏斗３４付きの第１の容器３５が設けられている。なお、第１の容器３５により、例えば、ホース２２先から垂れる汚染物も、容易かつ安全に回収できる。ここで、第１の容器３５に受けた汚染物は、ホース接続室１９内に設けられた第３のポンプ３６により、ホース接続室１９の外にある前記タンク室へ輸送される。
なお、タンク室へ輸送された汚染物は、例えば、前記した特許文献１（特開２０１２−１０６１８２号公報）に記載の方法で処理できる。
【００２０】
そして、第３のポンプ３６の下部には、漏洩した汚染物を溜めるオイルパン（第２の容器の一例）３７が設けられている。なお、漏洩した汚染物を溜める構成であれば、オイルパンに限定されるものではなく、他の構成でもよい。
更に、第２のポンプ３０の下部にも、上記した第３のポンプ３６の下部に設けたオイルパン３７と同様の構成のオイルパン３８が設けられている。
このように、第２、第３のポンプ３０、３６の下部に、それぞれオイルパン３８、３７を設けることで、万が一汚染物が漏洩しても、汚染物の地中への浸透を防止できる。
【００２１】
以上の構成により、一端がタンクローリ車１１の吐出口２１に接続されたホース２２を、受入れ口２３を介してホース接続室１９内に挿通し、ホース２２の他端を接続口２６に接続した後、第２のポンプ３０を作動させ、バルブ２８を開状態とする。これにより、タンクローリ車１１に貯留された汚染物を、ストレーナ２９を介してタンク室へ輸送できる。なお、バルブ２８から漏洩した汚染物は、第１の容器３５を介して、第３のポンプ３６によりタンク室へ輸送され、また、第２、第３のポンプ３０、３６から漏洩した汚染物は、オイルパン３８、３７で受ける。
従って、タンクローリ車１１からの汚染物の輸送に際しても、漏洩した汚染物の回収作業を、簡単かつ作業性よく実施できる。
【００２２】
次に、前記した本考案の一実施の形態に係る汚染物の受入れ設備１０を使用し、タンクローリ車１１から汚染物を受入れる方法について説明する。
まず、図１に示すように、地下プール１２を覆う蓋部材１６上に、汚染物を貯留したタンクローリ車１１を停車させる。これにより、万が一汚染物が漏洩しても、図１、図２（Ａ）に示すように、汚染物は、蓋部材１６の汚染物落とし孔１７を介して、地下プール１２の底部１４へ流れ落ち、集水枡１５に集められる。なお、集められた汚染物は、第１のポンプで緊急タンクへ輸送され、焼却処分される。
また、屋根１３は、雨天の場合、閉状態とし、また、雨天以外の場合、開状態とする。
【００２３】
次に、図１、図３（Ａ）、（Ｂ）に示すように、タンクローリ車１１の吐出口２１に一端が接続されたホース２２の他端を、ホース接続室１９内の接続口２６に接続する。
ここでは、まず、ホース２２にホースカバー２４を取り付け、ホース２２の外側を覆う。これにより、万が一汚染物が漏洩しても、汚染物はホースカバー２４内に留まり、外部への飛散を防止できる。
そして、ホース接続室１９の開閉扉２５を開け、ホースカバー２４を取り付けたホース２２の他端側を、受入れ口２３に挿通し、ホース２２の他端を接続口２６に接続する。
【００２４】
ホース２２の接続作業が終了した後、第２のポンプ３０を作動させ、汚染物のタンク室への輸送を開始して、タンクローリ車１１から汚染物を受け入れる。
上記した汚染物のタンク室への輸送が終了した後は、ホース２２内に残った汚染物を漏斗３４付きの第１の容器３５に受ける。そして、ホース２２の他端を接続口２６から取り外し、ホース２２の他端側を受入れ口２３から抜き、ホースカバー２４をホース２２から取り外して、ホース２２をタンクローリ車１１へ戻す。
【００２５】
なお、上記した汚染物のタンク室への輸送中、通常は汚染物が漏洩することはないが、万が一汚染物が漏洩した場合は、この汚染物を容器３５で受けることができる。
この容器３５に受けた汚染物は、上記した最後にホース２２内に残った汚染物と共に、第３のポンプ３６を作動させることで、タンク室へ輸送される。
ここで、タンク室へ輸送された汚染物は、前記した方法で処理される。
【００２６】
以上に示したように、本考案の汚染物の受入れ設備を使用することで、タンクローリ車で運搬した汚染物を、外部へ漏洩させることなく受入れることができる。
【００２７】
以上、本考案を、実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部又は全部を組合せて本考案の汚染物の受入れ設備を構成する場合も本考案の権利範囲に含まれる。
【符号の説明】
【００２８】
１０：汚染物の受入れ設備、１１：タンクローリ車、１２：地下プール、１３：屋根、１４：底部、１５：集水枡、１６：蓋部材、１７：汚染物落とし孔、１８：支柱、１９：ホース接続室、２０：側壁、２１：吐出口、２２：ホース、２３：受入れ口、２４：ホースカバー、２５：開閉扉、２６：接続口、２７：配管、２８：バルブ、２９：ストレーナ、３０：第２のポンプ、３１：配管、３２、３３：バルブ、３４：漏斗、３５：第１の容器、３６：第３のポンプ、３７：オイルパン（第２の容器）、３８：オイルパン
【図１】
0003185586.tif 000003
【図２】
0003185586.tif 000004
【図３】
0003185586.tif 000005